(57)【要約】【課題】少しの時間、体を休めるとき立位姿勢のまま安定して体を休ませることができながら設置スペースを大きく必要とすることのない立位休息具を提供することを課題とする。【解決手段】立位姿勢で使用する休息具であって、水平状に設けられるテーブル部１と、人体ａの腰部ｂ等を寄り掛けるため前記テーブル部に対し略直角方向に垂設される腰当て部２と、これらを支持する脚部３，３とで構成したことにある。【選択図】図２
0003151321.tif 000002
【実用新案登録請求の範囲】
【請求項１】
立位姿勢で使用する休息具であって、水平状に設けられるテーブル部と、人体の腰部等を寄り掛けるため前記テーブル部に対し略直角方向に垂設される腰当て部と、これらを支持する脚部とで構成されていることを特徴とする立位休息具。
【請求項２】
前記腰当て部は、側面よりみて凸弯曲状に形成されている請求項１記載の立位休息具。
【請求項３】
前記腰当て部の凸曲面の曲率は半径１０００〜１５００ｍｍの範囲とされている請求項２記載の立位休息具。
【請求項４】
前記腰当て部は前記テーブル部の一側下部の片側のみに設けられている請求項１〜３のいずれか１項記載の立位休息具。
【請求項５】
前記腰当て部は前記テーブル部の両側下部に設けられている請求項１〜３のいずれか１項記載の立位休息具。
【請求項６】
前記テーブル部および腰当て部は、外枠と、この外枠の端枠間に相互間に所要の間隔をおいて横方向に懸架される複数本の横棧とで構成されている請求項１〜５のいずれか１項記載の立位休息具。
【請求項７】
前記横棧はリサイクルウッド材からなる請求項６記載の立位休息具。
【請求項８】
前記腰当て部は、その下縁と地表との間に所要高さの空間を有する位置とされている請求項１〜７のいずれか１項記載の立位休息具。
【請求項９】
前記テーブル部の高さは、平均的な人間の腰部近傍位置とされ、腰当て部の上端はテーブル部と略同一とされており、腰当て部の下端は人体の膝よりやや上方位置とされている請求項１〜８のいずれか１項記載の立位休息具。
【請求項１０】
少なくとも左右一対の脚部と、この脚部の上端間に架設された横梁と、この横梁の一側に下方へ向けて支持された腰当て部とを有し、この腰当て部は側面よりみて凸弯曲状に形成されていることを特徴とする立位休息具。
【請求項１１】
前記腰当て部は、外枠と、この外枠の端枠間に相互間に所要の間隔をおいて横方向に懸架される複数本の横棧とで構成されている請求項１０記載の立位休息具。
【請求項１２】
前記腰当て部の下縁と地表との間に所要高さの空間を有する位置とされている請求項１０または１１記載の立位休息具。
【請求項１３】
前記腰当て部がテーブル部の一側にのみ設けられ、この腰当て部が車道とは反対側に位置するように停留所等の安全地帯に設置されている請求項４記載の立位休息具。
【請求項１４】
前記脚部は設置場所の条件に応じ設置高さを調整可能とする調整手段を有している請求項１〜１３のいずれか１項記載の立位休息具。
【請求項１５】
前記テーブル部の高さが１０００±１００ｍｍ、腰当て部の上下幅が４００±２００ｍｍ、テーブル部の前後幅が最大３００ｍｍ、最小１５０ｍｍの範囲とされている請求項１〜９のいずれか１項記載の立位休息具。
【考案の詳細な説明】
【技術分野】
【０００１】
本考案は立位休息具に係り、特に小時間の間、体を休めるため立位姿勢のまま休息するに適する立位休息具に関する。
【背景技術】
【０００２】
電車やバス、タクシー等を待つ待ち時間の間、あるいは公園などにおける小休止時に体を休める手段として、従来から座って休息するベンチタイプのもの、尻だけ載せて休息する所謂サポータータイプのものが使用されている。これは公共施設や特設される喫煙所などにおいても同様である。
【０００３】
しかして上記のベンチタイプのものは、その設置のためのスペースを大きく必要とするばかりでなく、長時間にわたる休息には向いても一寸の間の休息には不向きである。
【０００４】
またベンチタイプの場合、その利用形態として手荷物を置くだけで人は立ったままでいることが多く見かけられる。特に高齢者はベンチに座って休息すると、休息後ベンチから立ち上がることが容易でないことからこれらが相俟ってベンチは荷物置きの機能しか果さないものとなっている実情にある。
【０００５】
尻を載せるように腰掛けて休息するサポータータイプのものは、腰掛け時に不安定な姿勢となって危険性があるとともに手荷物類を置くことができないので十分な休息をとりにくいという問題点がある。
【先行技術文献】
【特許文献】
【０００６】
【特許文献１】特開２００４−２０４６１８号公報
【考案の概要】
【考案が解決しようとする課題】
【０００７】
本考案は、少しの時間体を休めるとき、立位姿勢のまま安定して体を休ませることができながら設置スペースを大きく必要とせず、電車やバスの停留所、タクシーの待合所など、狭いスペースに設置することが可能な立位休息具を提供することを課題とする。
【課題を解決するための手段】
【０００８】
上記課題を解決する手段として本考案は、立位姿勢で使用する休息具であって、水平状に設けられるテーブル部と、人体の腰部等を寄り掛けるため前記テーブル部に対し略直角方向に垂設される腰当て部と、これらを支持する脚部とで構成したことにある。
【０００９】
上記腰当て部は側面よりみて凸弯曲状に形成することが好ましい。そしてこの凸弯曲面の曲率は半径１０００〜１５００ｍｍの範囲とするのが腰部を寄り掛けるのに好適な形態である。
【００１０】
前記腰当て部は、立位休息具の設立場所の条件に応じ、テーブル部の一側の片側のみに設けるタイプ、両側に設けるタイプのいずれかを選択することができる。
【００１１】
前記テーブル部および腰当て部は、共に外枠と、この外枠の端枠間に相互間に所要の間隔をおいて横方向に懸架される複数本の横棧とで構成することができ、滑り止め機能および通風性を確保するうえでも好ましい。
【００１２】
上記横棧はリサイクルウッド材を用いることができる。
【００１３】
また前記腰当て部は、その下縁と地表との間に所要高さの空間を有する位置とすることが寄り掛かりやすさと景観のよさ、遮蔽感の除去等のうえにおいて好ましい。
【００１４】
上記の点を考慮すると、テーブル部の高さは平均的な人間の腰部近傍位置とし、腰当て部の上端はテーブル部と略同一とし、さらに腰当て部の下端は人体の膝よりやや上方位置とすることが好ましい。
【００１５】
立位休息具の設置場所のスペースや用途に応じ前記テーブル部を省略することができる。
【００１６】
また前記脚部は設置場所の条件に対応するため設置高さを調整可能とする調整手段を設けることができる。
【００１７】
さらにバスの停留所等の安全地帯において、前記腰当て部が前記テーブル部の一側のみに設け、この腰当て部を車道とは反対側に位置するようにして安全地帯に設立するようにしたことにある。
【考案の効果】
【００１８】
本考案によれば、少しの時間休息する際に腰当て部に寄り掛かることにより立位であっても安楽な姿勢で休息することができ、その際に手荷物類をテーブル部の上に置いておくことができるので手を自由に使うことができ、一層休息効果を得ることができる。また、テーブル部に向かって肘を付いて休息したりすることも可能であり、テーブル部をメモをとるためのいわゆるテーブルとして使用することも可能である。
【００１９】
特に腰当て部が側面視凸弯曲状とされているので、滑りにくいとともに寄り掛かる際に腰部がよくなじんで当接し、人体に無理な力が掛からず、気持ちよく休息することができる。
【００２０】
テーブル部および腰当て部は、外枠に横棧を相互に間隔をおいて架設して構成すれば、横棧間の間隙により通風性があり、腰部を寄り掛けても通気性を確保することができ、滑り止め効果も得られる。
【００２１】
前記腰当て部は設置場所の条件や要求によりテーブル部の両側に設けるようにすることができ、使用範囲を拡大することが容易に可能である。
【００２２】
前記腰当て部を片側のみに設け、この腰当て部が車道とは反対側に位置するように停留所等の安全地帯に設置すれば、車道側から寄り掛かることがなく、バス停等の安全な休息具とすることができる。
【図面の簡単な説明】
【００２３】
【図１】本考案による立位休息具の一実施形態を示す斜視図。
【図２】（Ａ）、（Ｂ）は使用状態を示す説明図。
【図３】図１の正面図。
【図４】同、平面図。
【図５】同、側面図。
【図６】図１のＡ−Ａ断面図。
【図７】図１の立位休息具をバス停に設置した状態を示す説明図。
【図８】テーブル部の両側に腰当て部を設けた場合の略示側面図。
【図９】テーブル部を省略した略示側面図。
【図１０】脚部に高さ調整手段を付加した一例を示す一部の断面図。
【考案を実施するための形態】
【００２４】
図１は本考案による立位休息具の一実施形態の斜視図を示すもので、この実施形態では、水平状に設けられるテーブル部１と、図２に示すように人体ａの腰部ｂを寄り掛けるため前記テーブル部１に対し略直角方向に垂設される腰当て部２と、これらを支持する脚部３，３とで構成されている。
【００２５】
前記腰当て部２は側面よりみて凸弯曲状に形成され、人が前向き（図２（Ａ））または後向き（図２（Ｂ））のいずれの向きで寄り掛かっても人体ａになじんでくつろぐことができるようになっている。
【００２６】
上記テーブル部１および腰当て部２は、図１〜図６からも分かるように、外枠４，５の端枠４ａ，５ａ間に相互間に所要の間隔をおいて複数本の横棧６，７が懸架されて構成されている。
【００２７】
前記テーブル部１の端枠４ａ，４ａが左右の脚部３，３の上端に固着され、このテーブル部１の一側縁下部に腰当て部２の上端が固着されてテーブル部１と腰当て部２とが実質的に連続した形態をなすように構成されている。
【００２８】
そして前記腰当て部２と脚部３とは間隔保持を兼ねる支持部材８により固定され、腰当て部２を強固に安定保持している。
【００２９】
前記テーブル部１および腰当て部２を構成している横棧６，７は寒暖の影響が少なく暖かいイメージを有するリサイクルウッド材が用いられている。
【００３０】
前記腰当て部２の凸曲面の曲率は半径１０００〜１５００ｍｍの範囲から選択されているが、その値は設置箇所やデザイン性等を考慮して適宜選択されてよい。
【００３１】
また腰当て部２の下端は人体ａの膝ｃよりやや上方位置となる高さ位置とされ、寄り掛かったとき膝が当たらないようになされている。
【００３２】
前記脚部３，３は、設置箇所の条件等に応じ高さを調節可能とする高さ調整手段９を設けることができる。この高さ調整手段９は、例えば図１０に示すように地中に埋設するか地表のコンクリート面に載置して固定される中空の基柱１０を設け、この基柱１０に脚部３の下端を嵌挿して高さ調節可能とし、設定後ボルト挿通孔３ａ，３ａを選択してボルト１１，１１により両者を固定することにより所望の高さに設定することができるようにされる。
【００３３】
ちなみに各部の寸法例を図３、図４に記載してあるが、好ましくはテーブル部１の前後幅は２００ｍｍを標準値とし、最小１５０ｍｍ、最大３００ｍｍの範囲とされる。
【００３４】
この範囲より大きいと場所をとりすぎ、これより小さいと荷物を置いた際に不安定になり、荷物が落下するおそれも生じて好ましくない。
【００３５】
腰当て部２の上下幅は４００ｍｍを標準値とし、最小２００ｍｍ、最大６００ｍｍの範囲とされる。
【００３６】
この範囲より大きくするとその下端と地表との間の間隔が狭くなり、人体の膝ｃが当たるなどして好ましくない。また下方に延在しすぎると景観を損なうと同時に見透しが悪くなり、通風性も阻害されて好ましくない。
【００３７】
上記範囲より小さいと人体の腰部ｂを当てがう際に上下幅が狭くなりすぎて不安定な姿勢を余儀なくされるとともに体に局部的な痛みを与えるなどして好ましくない。
【００３８】
テーブル部１の高さに関しては、設置場所から勘案して、若年層の人が集う所では１ｍ乃至それより高めに、高齢者が多く集う所ではやや低めに設定される。したがって一般的には最小９００ｍｍ、最大１１００ｍｍの範囲とされる。
【００３９】
こうして構成される立位休息具は、従来のベンチタイプとも、サポータータイプとも異なる全く新規な休息具となり、設置場所の如何に拘わらず安全で快適な立位休息具とすることができる。
【００４０】
図７は本考案による立位休息具をバス停の一部として設置したもので、腰当て部２が車道１３とは反対側に位置するようにバス停１２に設置される。
【００４１】
これによりバスを待つ間、腰当て部２に寄り掛かって休息することができ、このとき体は車道１３とは反対側に位置することになるので安全であり、しかも腰当て部２の下方部分は空間になっているので視界を妨げることもなく、この面からも安全性を保つことができる。
【００４２】
図８、図９は本考案による立位休息具の他の実施形態を略示するもので、図８は腰当て部２，２をテーブル部１の両側部に設けた場合のイメージ図であり、各部の構成は図１と同じであるのでこれと共通する部分には同一符号を付すに留めて詳細な説明は省略する。
【００４３】
図９はテーブル部を省略し、腰当て部２のみを設けた場合のイメージ図で、この形態とする場合は前記テーブル部１の代わりに脚部３，３の上端間に横梁１４を架設し、この横梁１４の一側に腰当て部２が取り付けられることになる。
【００４４】
したがって電車やバスの停留所、公園、その他公共施設など、人が集う場所に本考案による立位休息具を設置して使用される。
【００４５】
この設置に際しては、脚部３，３を直接地中に建て込むか、基柱１０を地表に設置し、この基柱１０に脚部３を嵌挿して高さを調節したのちボルト１１，１１で結合することにより設立される。
【００４６】
これによりテーブル部１は地表から１ｍ程度の高さに位置して手荷物類を置くことができ、また腰当て部２は人体の腰部ｂに対応する位置に存在するので立位姿勢のまま腰部ｂを寄り掛からせることができる。そのとき腰当て部２は側面視凸弯曲状をなしているので、腰部ｂを寄り掛けるとき安定した姿勢をとることができ、安楽な休息をとることができる。また、テーブル部１に向かって肘を付いて休息したりすることも可能であり、また、テーブル部上にメモ用紙を置いてメモをとったりする等のようにテーブル部１をいわゆるテーブルとして使用することも可能である。
【００４７】
また腰当て部２を相互間に間隔をおいて複数本の横棧７で構成すれば腰部ｂが上下方向に滑りにくく安全性が高められ、かつ横棧７，７…間の間隙により通気性が確保される。
【符号の説明】
【００４８】
１  テーブル部
２  腰当て部
３  脚部
４，５  外枠
４ａ，５ａ  端枠
６，７  横棧
８  支持部材
９  高さ調整手段
１０  基柱
１１  ボルト
【図１】
0003151321.tif 000003
【図２】
0003151321.tif 000004
【図３】
0003151321.tif 000005
【図４】
0003151321.tif 000006
【図５】
0003151321.tif 000007
【図６】
0003151321.tif 000008
【図７】
0003151321.tif 000009
【図８】
0003151321.tif 000010
【図９】
0003151321.tif 000011
【図１０】
0003151321.tif 000012